(57)【特許請求の範囲】
【請求項１】
各シート部材が折り曲げられた状態で重合かつ連続して収容される容器本体と、
この容器本体の開口部を覆うベース部と、
上記各シート部材を取り出すために、上記ベース部に設けられた取り出し口と、
上記ベース部に取り付けられ、上記取り出し口に対して開閉する樹脂材料で形成された蓋体と、
この蓋体を係止するために上記ベース部に設けられた係止手段と
を備え、
上記蓋体は樹脂材料にて形成されたトーションバースプリング支持部を有し、このトーションバースプリング支持部に備えられた樹脂製のトーションバースプリングが上記ベース部と上記蓋体との間に配置されており、
上記トーションバースプリングの少なくとも一部は、上記トーションバースプリング支持部と異なる樹脂材料により二色成形によって形成されている
ことを特徴とする容器。
【請求項２】
上記シート部材はウエットティシュであることを特徴とする請求項１に記載の容器。
【請求項３】
上記トーションバースプリング支持部がポリプロピレン又はポリエチレンにより形成されており、上記トーションバースプリングがシリコン又はエラストマーにより形成されていることを特徴とする、請求項１または２に記載の容器。
【請求項４】
上記係止手段は、上記蓋体の端部と対向して配置され、弾性により変位することにより、上記蓋体の端部と係脱することを特徴とする、請求項１ないし３のいずれかに記載の容器。
【発明の詳細な説明】
【０００１】
【発明の属する技術分野】
本発明は、折り曲げられた状態で重合かつ連続して収容されている各シート部材を収容する容器に関するものである。
【０００２】
【従来の技術】
従来、シート部材、例えばウエットティッシュ等を容器内に収容し、使用に際し、使用者がウエットティッシュを一枚づつ引き出して使用する場合、例えば図１１に示すようなウエットティッシュ用容器を用いていた。
図１１において、１００はウエットティッシュ用容器である。ウエットティッシュ用容器１００は、ウエットティッシュを収容する容器本体１０１と、この容器本体１０１の開口部を覆うベース部１０２を有している。また、このベース部１０２には、ヒンジ１０５を介して、開閉可能な蓋体１０３が設けられている。
さらに、このベース部１０２には、容器本体１０１内に収容されているウエットティッシュを１枚ずつ取り出すための取り出し口１０４が備えられている。
【０００３】
このヒンジ１０５は、蓋体１０３が取り出し口１０４に対して開閉するための回動軸を形成している。したがって、使用者が蓋体１０３を閉める場合には、先ず、蓋体の端部１０３ａを保持し、ヒンジ１０５の回動軸を中心として、蓋体１０３を回動させ、取り出し口１０４を閉めることになる。
また、逆に使用者が蓋体１０３を開ける場合には、先ず、蓋体の端部１０３ａを保持し、ヒンジ１０５の回動軸を中心として、蓋体１０３を回動させ、取り出し口１０４を開けることになる。
【０００４】
【発明が解決しようとする課題】
しかしながら、このような例えばウエットティッシュ用容器１００のヒンジ１０５では、取り出し口１０４の開閉のため、使用者がその都度、蓋体の端部１０３ａを保持し蓋体１０３を回動させる必要があった。したがって、使用者がウエットティッシュ用容器１００から迅速に、ウエットティッシュを取り出すことができないという問題があった。
また、使用者がウエットティッシュを円滑に取り出しにくいという問題もあった。
【０００５】
本発明は、以上の点に鑑み、容器本体から各シート部材を迅速且つ円滑にに取り出すことができる容器を提供することを目的としている。
【０００６】
【課題を解決するための手段】
上記目的は、請求項１の発明によれば、各シート部材が折り曲げられた状態で重合かつ連続して収容される容器本体と、この容器本体の開口部を覆うベース部と、上記各シート部材を取り出すために、上記ベース部に設けられた取り出し口と、上記ベース部に取り付けられ、上記取り出し口に対して開閉する樹脂材料で形成された蓋体と、この蓋体を係止するために上記ベース部に設けられた係止手段とを備え、上記蓋体は樹脂材料にて形成されたトーションバースプリング支持部を有し、このトーションバースプリング支持部に備えられた樹脂製のトーションバースプリングが上記ベース部と上記蓋体との間に配置されており、上記トーションバースプリングの少なくとも一部は、上記トーションバースプリング支持部と異なる樹脂材料により二色成形によって形成されている容器により、達成される。
【０００７】
このような構成とすると、蓋体はトーションバースプリング支持部を有し、このトーションバースプリング支持部に備えられたトーションバースプリングがベース部と蓋体との間に配置されているので、トーションバースプリングのねじれ応力により付勢力が与えられて蓋体が回動する。また、トーションバースプリングは棒状であるため、ベース部と蓋体の間に特別な空間を設ける必要がない。
さらに、トーションバースプリングの少なくとも一部は、トーションバースプリング支持部と異なる樹脂材料により二色成形によって形成されているので、容易にトーションバースプリング支持部に、より弾性力のある樹脂材料からなるトーションバースプリングを形成することができる。
【０００８】
また、請求項２の発明は、請求項１の構成において、上記シート部材はウエットティシュであることを特徴とする。
【００１４】
さらに、請求項３の発明は、請求項１または２の構成において、上記トーションバースプリング支持部がポリプロピレン又はポリエチレンにより形成されており、上記トーションバースプリングがシリコン又はエラストマーにより形成されている。
【００１５】
このような構成とすると、ポリプロピレン又はポリエチレンより成るトーションバースプリング支持部に、より弾性のあるシリコン又はエラストマーより成るトーションバースプリングを容易に形成することができる。
【００２２】
また、請求項４の発明は、請求項１ないし３のいずれかの構成において、上記係止手段は、上記蓋体の端部と対向して配置され、弾性により変位することにより、上記蓋体の端部と係脱することを特徴とする。
【００２３】
このような構成にすると、係止手段の弾性変位により蓋体のベース部に対する係脱が可能になるため、蓋体を開く使用者の操作性が向上する。
【００２４】
【発明の実施の形態】
以下、この発明の好適な実施形態を図１乃至図１０を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００２５】
図１は、本発明を適用した容器の第１の実施の形態を示している。
図１において、容器１は、例えばウエットティッシュ用容器である。このウエットティッシュ用容器１は、容器本体１１と、この容器本体１１の上部の開口部を覆うように装着されるベース部１２とからなっている。
【００２６】
上記容器本体１１は、その内部に内容物を収容することができるように、その上部に開口部が設けられている直方体状の箱型状で形成されている。また、この容器本体１１の上部の周縁部には、嵌合凸部１１ａが設けられているため、ベース部１２の嵌合部１２ａと嵌合することによって、ベース部１２が容器本体１１に正確に嵌合するようになっている。なお、この容器本体１１は、ポリプロピレン（ＰＰ）、ポリエチレン（ＰＥ）等の樹脂等で形成されている。
【００２７】
上記ベース部１２は、上記容器本体１１の上部に上述のように嵌合されるようになっており、その材質は、ポリプロピレン（ＰＰ）等のある程度弾力性のある素材により形成されている。また、ベース部１２は、全体に薄い板状の部材で成っている。
このベース部１２は、蓋体のヒンジ部１３ａ，１３ａ、ベース部のヒンジ部１２ａ，１２ａ及び弾性部材からなるトーションバースプリング３０を介して蓋体１４を有している。蓋体１４も、ポリプロピレン（ＰＰ）、ポリエチレン（ＰＥ）等の樹脂により形成されており、この蓋体１４は蓋体のヒンジ部１３ａ，１３ａ、ベース部のヒンジ部１２ａ，１２ａ及びトーションバースプリング３０を中心軸として回動するようになっている。
【００２８】
図３及び図４は、この蓋体１４がベース部１２に係合される状態を表した図である。蓋体のヒンジ部１３ａ，１３ａは蓋体１４の図において下方に突出するように形成された２つの回動軸支持部と各々の回動軸支持部から横方向に突出して形成されている円柱状の回動軸とから成っている。
一方、ベース部１２のヒンジ部１２ａ，１２ａは、ベース部１２に形成された凹部である。この凹部は上記回動軸支持部を収容すべき凹部と上記円柱状の回動軸を挿入すべき凹部を有している。
【００２９】
また、蓋体１４のヒンジ部１３ａ，１３ａの間には、トーションバースプリング３０が設けられている。具体的には、トーションバースプリング３０は、蓋体１４から下方に突出するように形成されたトーションバースプリング支持部３０ａに設けられている。そして、トーションバースプリング３０の先端部には四角柱から成るトーションバースプリング嵌合用凸部３０ｂが備えられている。なお、トーションバースプリング３０は、ポリプロピレン（ＰＰ）、ポリエチレン（ＰＥ）等の樹脂又はより弾性があるシリコン、エラストマー等の樹脂等により形成されている。また、トーションバースプリング支持部３０ａは蓋体１４と同一の樹脂材料、すなわち、ポリプロピレン（ＰＰ）、ポリエチレン（ＰＥ）等の樹脂により形成されている。
【００３０】
ここにおいて、トーションバースプリング３０がトーションバースプリング支持部３０ａ及び蓋体１４と同一の材料であるポリプロピレン（ＰＰ）、ポリエチレン（ＰＥ）等の比較的硬い樹脂により、これらと一体に成形されている場合について説明する。この場合は、図３に示すように、このトーションバースプリング３０が棒状の円柱であって、その長手方向の長さがその短手方向の長さに比べ、著しく長いため、トーションバースプリング３０の長手方向の長さが短い場合に比べ、ねじれ応力を生じさせ易くなる。これにより、上記蓋体１４に十分な付勢力を与えることができる。
このように、トーションバースプリング３０をトーションバースプリング支持部３０ａ及び蓋体１４と同一の材料で一体成形により形成すると、比較的安価にトーションバースプリング３０をトーションバースプリング支持部３０ａに設けることができる。また、トーションバースプリング３０のみを成形するための特別な装置を付加する必要なく、成形をすることが可能となる。
【００３１】
一方、トーションバースプリング３０がトーションバースプリング支持部３０ａ及び蓋体１４と異なる樹脂材料で形成されており、かつ、このトーションバースプリング支持部３０ａ及び蓋体１４と一体に配置されている場合について説明する。
このような異なる樹脂を一体に形成するには、蓋体１４を成形する際に、蓋体１４及びこれと一体のトーションバースプリング支持部３０ａには、ポリプロピレン（ＰＰ）又はポリエチレン（ＰＥ）等の樹脂を使い、トーションバースプリング３０についてはシリコン、エラストマー等の樹脂を使って、二色成形の手法により、同時に成形される。
したがって、特定の樹脂と、より弾性のある樹脂を容易に一体成形することができる。このようにすることにより、トーションバースプリング３０に、より強いねじれ応力が働くことになり、蓋体１４により強い付勢力が働くことになる。
また、このように、蓋体１４により強い付勢力が働くため、特定の樹脂と、より弾性のある樹脂を二色成形した場合は、上述のように同一の樹脂を一体に成形した場合と異なり、トーションバースプリング３０の長手方向の長さが短手方向の長さに比べ著しく長く設ける必要はない。
【００３２】
また、このトーションバースプリング３０とトーションバースプリング支持部３０ａとを受容するための収容凹部１２Ｃが、ベース部１２に設けられている。また、この収容凹部１２Ｃには、上記トーションバースプリング嵌合用凸部３０ｂに対応する形状のトーションバースプリング嵌合用凹部１２ｂが設けられている。ここで、トーションバースプリング３０は、棒状であり、蓋体１４のヒンジ部１３ａ，１３ａの円柱状の回動軸と略同軸であるため、ベース部１２に、このトーションバースプリング３０を収容するための特に大きな空間を設ける必要がない。また、トーションバースプリング３０は、棒状であるため、使用者にも外観上、すっきりした印象を与えるものである。
【００３３】
ところで、蓋体１４をベース１２に取り付けるには、図４に示すように、蓋体１４のヒンジ部１３ａ，１３ａを蓋体１４が開いた状態で、ベース部１２のヒンジ部１２ａ，１２ａに挿入して係合させる。その際、トーションバースプリング嵌合用凸部３０ｂをトーションバースプリング嵌合用凹部１２ｂに挿入する。
このようにして、ベース部１２に取り付けられた蓋体１４のヒンジ部１３ａ，１３ａとベース部のヒンジ部１２ａ，１２ａは、回動軸を中心に回動する構成となっている。そして、回動軸を中心として蓋体１４を閉める方向に回動させた場合、これに対応して、トーションバースプリング支持部３０ａも回動し、このトーションバースプリング支持部３０ａに配置されているトーションバースプリング３０も回動しようとする。
【００３４】
しかし、トーションバースプリング３０の先端部には四角柱から成るトーションバースプリング嵌合用凸部３０ｂがあり、この部分は、この四角柱に対応する形状のトーションバースプリング嵌合用凹部１２ｂと嵌合されている。また、トーションバースプリング３０は、上述のように、弾性部材で成っている。したがって、回動軸を中心として蓋体１４を閉める方向に回動させた場合、トーションバースプリング３０はねじれることになる。
このようにトーションバースプリング３０がねじれると、ねじれ応力が働き、蓋体１４がベース部１２から離反する方向に付勢力が働くこととなる。
【００３５】
このように蓋体１４がベース部１２から離反する方向に付勢力が働く構造となっているため、この蓋体１４をベース部１２に係止するための係止手段１４が設けられている。
図５は、ベース部１２と係止手段１５との関係を示す図であり、図１のベース部１２と係止手段１５の中央縦断面の一部を表した図である。また、図６は、蓋体１４が係止手段１５と係止されている状態を示す中央縦断面の一部を表した図である。
図５において係止手段１５は、蓋体１４の先端部と対向する位置に設けられている。具体的には、係止手段１５は、ベース部１２と一体に形成された部分を図５の右方向に延長し、ベース部１２の右端部２６で矢印Ａ方向に折り返して重ねたレバー部２９を有している。このレバー部２９は、ポリプロピレン（ＰＰ）、ポリエチレン（ＰＥ）等の樹脂等の弾性部材より形成されている。
【００３６】
しかも、この折り返したレバー部２９とベース部１２の上面との間には、図５に示すように、隙間２８が形成されており、これによって、レバー部２９は、その弾性に基づいてベース部１２の右端部２６付近を中心として、内側（左側）が矢印方向に揺動するようになっている。
図５において、レバー部２９の内側（左側）先端部には、徐々に下降する傾斜面と下向き段部を有する係止部としての係止爪２７が設けられている。これに対して、蓋体１４の先端部には、図６に示すように、レバー部２９の係止爪２７と逆方向に傾斜する傾斜面と上向き段部とを有する被係止部としての係止爪１２ｂが設けられている。
【００３７】
このような係止手段１５は、以下のように作用する。回動軸を中心として蓋体１４を閉める方向に回動させた場合、この蓋体１４の係止爪１４ｂの傾斜面と、レバー部２９の係止爪２７の傾斜面とが当接して互いにしゅう動し、それぞれの弾性に基づいて僅かに変形することによって、係止爪１４ｂの上向き段部とレバー部２９の下向き段部とが噛み合って係止される（図６参照）。
これにより、トーションバースプリング３０によって蓋体１４がベース部１２から離反する方向に付勢力が働くていても、蓋体１４は確実にベース部１２と係合され、取り出し口１６を塞ぐことができる。
【００３８】
これとは逆に、図６に示すように、蓋体１４が閉まっている状態から、レバー２９を上から押すと、レバー部２９は、図５の矢印Ｂの下方向に揺動し、各係止爪２７，１４ｂの段部同士の噛み合いが外れる。これによって、トーションバースプリング３０の付勢力によって、蓋体１４はベース部１２から離反する方向に回動し、使用者は蓋体１４を迅速且つ簡単に開くことができる。
また、レバー部２９が図１に示すように、ほぼ半円状に区画されているため、使用者が蓋体１４を開閉する際、操作すべき箇所が視認し易く、確実に操作することができる。
さらに、レバー部２９は、ベース部１２と同一の材料により、一体に形成されているから、製造が容易で、製造コストを低く抑えることができる。
【００３９】
ところで、上記ベース部１２の上面側の中央付近には、図１に示すように、楕円状の凹部１２ｂが設けられている。そして、凹部１２ｂは蓋体１４が閉状態になると、蓋体１４に設けられているの凸状の壁１４ｃで塞がれるようになっている。これにより、容器本体１１内を密封状態に保つことができ、収容されたウエットティッシュＢ１，Ｂ２等の水分の発散を防いでいる。
この容器本体１１内には、図２に示すように、シート部材である例えばウエットティッシュＢ１，Ｂ２等が、各々折り曲げられた状態で、収容されている。ウエットティッシュＢ１，Ｂ２等は、液体をしみ込ませた略長方形の紙または不織布であって、使用に適した大きさを１使用単位として、多数、例えば９０枚程度、用意されている。
【００４０】
これらウエットティッシュＢ１，Ｂ２等の各々の折り曲げ方法は、図２に示すように、所謂三つ折りとなっている。
すなわち、使用に際し、使用者がウエットティッシュＢ１を引き出すために指等で挟持する部分である、ウエットティッシュＢ１の端部Ｂ１ａは、一側の折り曲げ線Ｂ１ｂと他側の折り曲げ線Ｂ１ｃと略平行に配置されると共に折り曲げ線Ｂ１ｂとＢ１ｃの略中間に位置するように折り曲げられている。
また、ウエットティッシュＢ１の他方の端部Ｂ１ｄは、折り曲げ線Ｂ１ｂとＢ１ｃの略中間に位置するように配置されている。そして、ウエットティッシユＢ１の下に配置されているウエットティシュＢ２も、ウエットトティッシュＢ１と同様に折り曲げられている。
【００４１】
以上のように本発明を適用した容器の第１の実施の形態によれば、使用者がウエットティッシュ用容器１を以下のように使用することとなる。
先ず、使用者は、係止手段１５のレバー部２９を上方より押す。これにより、上述のように、レバー部２９の係止爪２７と蓋体１４の係止爪１４ａとの噛み合いが外れ、トーションバースプリング３０の付勢力により、蓋体１４が開くことになる。このとき、蓋体１４は、早い速度で回動し、速やかに取り出し口１６が開状態となる。また、係止手段１５のレバー部２９の押圧のみで蓋体１４が開くため、使用者が操作し易くなっている。
蓋体１４が開いた後、使用者は、取り出し口１６からウエットティシュＢ１の端部Ｂ１ａを指等で挟持し、引き上げる。
【００４２】
ここにおいて、ウエットティッシュＢ１の端部であるＢ１ｄとその近傍部分とウエットティッシュＢ２の端部であるＢ２ａとその近傍部分とは、互いに重合するようになっている。
図２においては、ウエットティッシュＢ１とＢ２の２枚のみの関係を表しているが、図示しない他の多数のウエットティッシュが、ウエットティッシュＢ１とＢ２の下に、同様に折り曲げられ、かつ重合されて配置されていることは、勿論である。
このように、ウエットティッシュＢ１とウエットティッシュＢ２とは、互いにその一部が重合されているため、ウエットティツシュＢ１が、使用者によって上方に引き上げられると、それに付着した状態でウエットティッシュＢ２も上方に引き上げられることになる。
【００４３】
このようにして、使用者が必要な数のウエットティッシュを引き抜いた後、蓋体１４の端部を保持して、蓋体１４を閉める方向に回動する。そして、蓋体１４の係止爪１４ｂがレバー部２９の係止爪２７と噛み合って係止されるまで回動させる。この蓋体１４とレバー部２９との係止は、蓋体１４の一部を保持し回動させる動作のみでできるため、使用者の操作性が向上する。また、本実施の形態では、蓋体１４の付勢力を、トーションバースプリング支持部３０ａに二色成形で形成したトーションバースプリング３０により得ている場合は、製造が容易で、余分なスペースも取らず、且つ外観がすっきりしたウエットティッシュ用容器１となる。また、蓋体１４の付勢力を、トーションバースプリング支持部３０ａに一体成形で形成したトーションバースプリング３０により得ている場合は、比較的安価に製造することができる。また、トーションバースプリング３０のみを成形するための特別な装置を付加する必要なく、成形をすることが可能となる。
【００４４】
図７及び図８は、本発明を適用した容器の第２の実施の形態を示している。
図７及び図８において、図１及び図２で示したものと同じ構成は、同じ符号を付して、その説明を省略する。
図７及び図８で示されているウエットティッシュ２０と図１及び図２で示されているウエットティッシュ１との相違点は、取り出し口３６である。
すなわち、ベース部１２の凹部１２ｂの中心部には、容器本体部１１内に収容されているウエットティッシュＢ１，Ｂ２等を使用者が取り出すための解除手段を有する取り出し口３６が設けられている。
図９は、蓋体１４等を除いたベース部１２の平面図である。図９において、取り出し口３６は、挿入開口部である略円形の挿入穴３６ｂと、この挿入穴３６ｂに連接し、かつ両側に対称に配置されている案内開口部に相当する、細長い案内穴３６ｃ，３６ｃとを備えている。
【００４５】
この挿入穴３６ｂは、使用者がウエットティッシュＢ１、Ｂ２等を引き出す際に、ウエットティッシュ用容器２０の外部から内部に向かって指等を容易に挿入するための穴である。また、この挿入穴３６ｂの左右の両側から八の字を描くように延びている案内穴３６ｃ，３６ｃは、使用者がウエットティッシュＢ１、Ｂ２等を挿入穴３６ｂから引き出す際に、ウエットティッシュＢ１、Ｂ２等が広がった状態で排出されるために、これらを案内するための穴である。
取り出し口３６において、八の字を描くように延びている案内穴３６ｃ，３６ｃの、図９において内側には、挿入穴３６ｂに突出するように、２つの抑え部である抑え片３６ａ，３６ａが設けられている。この抑え片３６ａ，３６ａは、その外縁が案内穴３６ｃ，３６ｃ及び挿入穴３６ｂに接しているため、容易に可動する自由端部となっており、軟性縁部を形成している。
一方、この抑え片３６ａ，３６ａの挿入穴３６ｂ及び案内穴３６ｃ，３６ｃを介した他方側、図９において斜線で表した領域は、抑え片３６ａ，３６ａとは異なり容易に可動しない固定端部となっており、硬性縁部を形成している。
【００４６】
また、上記挿入穴３６ｂは、図８における折り曲げ線Ｂ１ｂとＢ１ｃと平行な線Ｃと直交する線Ｄの方向の上方の偏心した位置に配置されている。そして、取り出し口３６の全体の形状は、線Ｄを対称線として対称に形成されている。
このように構成されているウエットティッシュ用容器２０を使用者が使用する状態を以下に説明する。
先ず、使用者は、上述のように、ベース部１２の係止手段保１５を押圧し、蓋体１４を上方に開ける。ここで、使用者は取り出し口３６の挿入穴３６ｂからウエットティッシュＢ１の端部Ｂ１ａを挟持し上方に引き上げる。蓋体１４を省略して、この状態を示したのが、図１０である。
【００４７】
図１０に示すように、ウエットティッシュＢ１を挿入穴３６ｂから引き出した場合、ウエットティッシュＢ１の他の部分は挿入穴３６ｂと連接している案内穴３６ｃ，３６ｃに案内され上方に排出される。したがって、ウエットティッシュＢ１が上方に引き上げられる力は、取り出し口３６の図９で示す、固定端部（斜線部分）と自由端部である抑え片３６ａ，３６ａに加えられる。
この場合、力はこの自由端部である抑え片３６ａ，３６ａに集中するため、抑え片３６ａ，３６ａは上方に撓ることになる。この状態で、さらにウエットティッシュＢ１を上方に引き上げると、このウエットティッシュＢ１の端郡Ｂ１ｄとウエットティッシュＢ２の端部Ｂ２ａが互いに重なり合っている部分が、抑え片３６ａ，３６ａに接するようになる。
【００４８】
ここにおいて、抑え片３６ａ，３６ａは、その抑えている対象物をウエットティッシュＢ１からウエットティッシュＢ２へ変えることになる。したがって、直接的に、抑え片３６ａ，３６ａによって抑えられていないウエットティッシュＢ１は、使用者の引き上げる力により、取り出し口３６から外部に排出されることになる。
このように、これらウエットティッシュＢ１とウエットティッシュＢ２の重合状態は、解除されることになる。したがって、ウエットティッシュＢ１とウエットティッシュＢ２が連続して取り出し口３６から外部に排出されることはない。
すなわち、本実施の形態では、第１の実施の形態と比べ、ウエットティッシュＢ１とウエットティッシュＢ２が連続して取り出し口３６から外部に排出されるのを、より防止することができる。
【００４９】
一方、ウエットティッシュＢ２は、その端部Ｂ２ａが抑え片３６ａ，３６ａによって抑えられているため、取り出し口３６からその端部Ｂ２ａが僅かに外部に突出している状態になる。したがって、使用者がウエットティッシュＢ２を引き出す際、その端部Ｂ２ａを使用者がつまみ上げる必要がない。すなわち、ウエットティッシュＢ１と同様の動作を行うことで、ウエットティッシュＢ２を引き出すことができ、その際にも、さらにその下に配置されているウエットティッシュが、ウエットティッシュＢ２と同様の動作をすることになる。
【００５０】
このように、ウエットティッシュを一枚ずつ引き出して使用すると、容器本体部１１に収容されているのウエットティッシュの量が少なくなり、これがため、ウエットティッシュが本体部１１の中で移動してしまうことがある。すなわち、使用者が引き上げようとする力に応じて、ウエットティッシュが移動し、それがため、ウエットティッシュの端部も、挿入穴３６ｂの直下付近に向かって移動することになる。そして、この移動によって、使用者の引き出す力がウエットティッシュを介して抑え片３６ａ，３６ａに加わり難くなり、ウエットティッシュの引き出しに支障が生じることも考えられる。
また、ウエットティッシュの量が少なくなると、使用者はウエットティッシュを均等の力で引き上げ難くなりため、ウエットティッシュが取り出し口３６のいずれか一方に偏ってしまい、ウエットティッシュの引き出しに支障が生じることも考えられる。
【００５１】
しかしながら、本実施の形態のウエットティッシュ用容器２０１の取り出し口３６の挿入穴３６ｂは、図８における折り曲げ線Ｂ１ｂとＢ１ｃと平行な線Ｃと直交する線Ｄの方向の上方の偏心した位置に配置されている。そして、この線Ｃの位置は、ウエットティッシュＢ１の端部Ｂ１ａの位置に相当している。したがって、ウエットティッシュＢ１が、本体部１１の内部で挿入穴３６ｂ方向に移動したとしても、未だ、ウエットティッシュＢ１の端部Ｂ１ａは、挿入穴３６ｂの直下付近ではない。したがって、使用者の引き出す力がウエットティッシュＢ１を介して抑え片３６ａ，３６ａに加わり難くなることはない。このため、容器本体部１１に収容されているのウエットティッシュの量が少なくなり、ウエットティッシュが本体部１１の中で移動してしまっても、ウエットテッシュの引き出しに支障を生じることなく、最後のウエットティッシュまで、１枚づつウエットティッシュを引き出すことができる。
【００５２】
一方、取り出し口３６の全体の形状は、図９に示すように、線Ｄを対称線として対称に形成されている。したがって、ウエットティッシュの量が使用によつて減少したとしても、使用者はウエットティッシュを均等の力で引き上げ易くなるため、ウエットティッシュが取り出し口３６のいずれか一方に偏り難くなる。このため、ウエットティッシュの量が減少しても、ウエットテッシュの引き出しに支障を生じることなく、最後のウエットティッシュまで均等の力で引き上げることができる。
このように本実施の形態においては、第１の実施の形態に比べ、取り出し口３６の形状が異なるため、より円滑にウエットテッシュを引き出すことができるウエットテッシュ用容器２０と成っている。
【００５３】
【発明の効果】
かくして、本発明によれば、容器本体から各シート部材を迅速且つ円滑に取り出すことができる容器を提供することができる。
【図面の簡単な説明】
【図１】本発明による容器の第１の実施形態を示す分解斜視図である。
【図２】本発明による容器の第１の実施形態を示す他の分解斜視図である。
【図３】蓋体がベース部に係合される状態を表した斜視図である。
【図４】蓋体がベース部に係合される状態を表した他の斜視図である。
【図５】ベース部と係止手段との関係を示す部分断面図である。
【図６】蓋体が係止手段に係止されている状態を示す部分断面図である。
【図７】本発明による容器の第２の実施形態を示す分解斜視図である。
【図８】本発明による容器の第２の実施形態を示す他の分解斜視図である。
【図９】図８における蓋体等を除いたベース部の平面図である。
【図１０】図８における取り出し口からウエットティッシュが引き上げられた状態を示す斜視図である。
【図１１】従来の容器の斜視図である。
【符号の説明】
１・・・ウエットティッシュ用容器、１１・・・容器本体、１１ａ・・・嵌合凸部、１２・・・ベース部、１２ｂ・・・凹部、１３ａ・・・蓋体のヒンジ部、１２ａ・・・ベース部のヒンジ部、１４・・・蓋体、１４・・・係止爪、１４ｃ・・・壁、１５・・・係止手段、１６、３６・・・取り出し口、１６ａ、３６ａ・・・抑え片、１６ｂ、３６ｂ・・・挿入穴、１６ｃ、３６ｃ・・・案内穴、３０・・・トーションバースプリング、Ｂ１・・・ウエットティッシュ、Ｂ１ａ・・・端部、Ｂ１ｄ・・・端部、Ｂ１ｂ・・・折り曲げ線、Ｂ１ｃ・・・折り曲げ線
【図１】
0003775627.tif 000002
【図２】
0003775627.tif 000003
【図３】
0003775627.tif 000004
【図４】
0003775627.tif 000005
【図５】
0003775627.tif 000006
【図６】
0003775627.tif 000007
【図７】
0003775627.tif 000008
【図８】
0003775627.tif 000009
【図９】
0003775627.tif 000010
【図１０】
0003775627.tif 000011
【図１１】
0003775627.tif 000012